(57)【要約】【課題】  収納体をそのまま用いる場合は設置面や壁面との密着面積が大きくなり、多数の通気口を設けたケースに収容した場合でも、設置面側や壁面側の通気口が封止されて通気性が遮断される。【解決手段】  通気性を有する袋体に充填材を充填した収納体を収容し、押入等の床面部に設置するものであって、本体は、内部に該収納体の収容空間を有し各面に通気口を備えた直方体形状であり、前面を該収納体を出し入れする開口部とすると共に、底面を上げ底とし、且つ少なくとも両側面下部に該底面に連通する底部通気口を設ける。【選択図】        図１
2008157017.tif 000002
【特許請求の範囲】
【請求項１】
通気性を有する袋体に充填材を充填した収納体を収容し、押入等の床面部に設置するものであって、本体は、内部に該収納体の収容空間を有し各面に通気口を備えた直方体形状であり、前面を該収納体を出し入れする開口部とすると共に、底面を上げ底とし、且つ少なくとも両側面下部に該底面に連通する底部通気口を設けたことを特徴とする簀の子。
【請求項２】
簀の子本体は、側方部に上面と底面に架け渡す差込ピンの差込穴を有するものであり、該差込ピンに支持させる支持棒に、収納体を袋体に貫通して備えた係止孔を挿通させて支持する請求項１記載の簀の子。
【請求項３】
収納体は、通気性を備えた箱体に収納して簀の子本体に装着する請求項１記載の簀の子。
【請求項４】
貫通孔を設けた箱体若しくは袋体を貫通する係止孔を設けた収納体を、固定具により簀の子本体と共に貫通させて支持する請求項１又は３記載の簀の子。
【請求項５】
簀の子本体の底面は、前面の開口部から出し入れする引き出しとした請求項１記載の簀の子。
【請求項６】
引き出しは、複数のスペーサを設けた請求項５記載の簀の子。
【請求項７】
引き出しは、収納体に袋体を貫通して備えた係止孔に挿通させる係止具を設けた請求項５記載の簀の子。
【請求項８】
通気性を有する袋体に充填材を充填した収納体を収容するもので、内部に該収納体の収容空間を有し各面に通気口を備えた直方体形状であり、前面を該収納体を出し入れする開口部とすると共に、底面を上げ底とし、且つ少なくとも両側面下部に該底面に連通する底部通気口を設けた簀の子を、複数並設したことを特徴とする簀の子ベッド。
【請求項９】
収納体は、通気性を備えた箱体に収納して簀の子本体に装着する請求項８記載の簀の子ベッド。
【請求項１０】
貫通孔を設けた箱体若しくは袋体を貫通する係止孔を設けた収納体を、簀の子本体と共に貫通させて支持する固定具を、脚部とした請求項８又は９記載の簀の子ベッド。
【請求項１１】
通気性を有する袋体に充填材を充填した収納体を収容するもので、内部に該収納体の収容空間を有し各面に通気口を備えた直方体形状であり、前面を該収納体を出し入れする開口部とすると共に、底面を上げ底とし、且つ少なくとも両側面下部に該底面に連通する底部通気口を設けた簀の子を、複数並設したことを特徴とする床構造。
【請求項１２】
収納体は、通気性を備えた箱体に収納して簀の子本体に装着する請求項１１記載の床構造。
【請求項１３】
貫通孔を設けた箱体若しくは袋体を貫通する係止孔を設けた収納体を、簀の子本体と共に貫通させて支持する固定具を、脚部とした請求項１１又は１２記載の床構造。
【発明の詳細な説明】
【技術分野】
【０００１】
本発明は、通気性を有する袋体に充填材を充填した収納体を収容して設置する簀の子の改良、及び該簀の子を複数並設して形成したベッドに関するものである。
【背景技術】
【０００２】
従来より除湿や脱臭を目的として、木炭や活性炭などの多孔質体を押入や戸棚、床下等に設置している。このような多孔質体は、通常、不織布などの通気性を有する袋体に充填して用いられる。多孔質体としては、例えば木炭やこれを粉砕したもの、或いは粒体などがある。
【０００３】
通気性を有する袋体に充填された吸着体は、そのまま床下などに設置する場合もあるが、特許文献１のように段ボールなどの紙やプラスチックのケースに収容して用いられていれる。吸着体をケースに収容することにより、縦置きができることや、スノコの代用として利用することが可能となる。このような吸着体収納ケースには、周面に多数の通気口が設けられている。
【特許文献１】実用新案登録第３０７１６７１号
【発明の開示】
【発明が解決しようとする課題】
【０００４】
ところが、吸着体をそのまま用いる場合は設置面や壁面との密着面積が大きくなることや、多数の通気口を設けたケースに収容した場合でも、設置面側や壁面側の通気口が封止されることになり、通気性が遮断されてしまう。しかも、上に布団などを載せてスノコとして利用すれば、上面側の通気性も失われることになる。このようなことから、従来の吸着体では周辺の湿気や臭いの吸着機能を充分発揮することができない構造的な問題を有していた。
【課題を解決するための手段】
【０００５】
そこで本発明者は上記問題に鑑み鋭意研究の結果、本発明を成し得たものであり、その特徴とするところは、通気性を有する袋体に充填材を充填した収納体を収容し、押入等の床面部に設置するものであって、本体は、内部に該収納体の収容空間を有し各面に通気口を備えた直方体形状であり、前面を該収納体を出し入れする開口部とすると共に、底面を上げ底とし、且つ少なくとも両側面下部に該底面に連通する底部通気口を設けたことにある。
【０００６】
或いは、通気性を有する袋体に充填材を充填した収納体を収容するもので、内部に該収納体の収容空間を有し各面に通気口を備えた直方体形状であり、前面を該収納体を出し入れする開口部とすると共に、底面を上げ底とし、且つ少なくとも両側面下部に該底面に連通する底部通気口を設けた簀の子を、複数並設したことにある。
【０００７】
ここで、本明細書中でいう「充填材」とは、湿気や臭いを吸着しやすい多孔質体や香りを発散する芳香材をいう。例えば、多孔質体としては木炭、活性炭、竹炭などであり、芳香材としては桧等の木材のチップやおが屑、茶やハーブなどである。これらを充填材として通気性のある袋体に充填することによって、収納体として用いる。通気性を有する袋体としては、上述した不織布の他、和紙、通気性を備えた合成樹脂フィルムやこれらを積層したラミネートフィルムなどである。収納体としては、袋体を貫通する係止孔を設ければ、簀の子内で保持固定することができ、袋体内での多孔質体の片寄りも軽減することができる。係止孔を設けることにより、押入や洋服ダンスなどに吊したり、複数連結して脱臭や乾燥に供することも可能となる。また、袋体は充填材の充填部を複数に分割することにより、収納体を曲げたり丸めることができ、設置する個所に応じて対応させやすくなる。
【０００８】
本発明に係る簀の子は、内部に収納体の収容空間を備えた直方体形状であり、各面に通気口を備えることによって、収納した収納体の周囲に通気性を確保している。特に、本発明においては、簀の子本体の底面を上げ底とし、両側面や背面の下部に該底面に連通させる底部通気口を設けることで、底面に対し確実に通気できる構造としている。収納体の収容部としては、簀の子の前面に開口部を設けて収納体を取り換える他、底面自体を出し入れする引き出し構造としてもよい。
【０００９】
引き出しを設けることで、収納体の交換が容易となり、しかも簀の子に収容するとき収納体の片寄りを防止して吸着効率等を高めることができる。特に、引き出しに収納体に設けた係止孔に挿通させる係止具を設けたり、スペーサを設けることで、収納体を出し入れするときや、簀の子を移動させたりするときなど、簀の子内での収納体の片寄りや移動の防止及び吸着効率等をより高めることが可能となる。また、この他収納体を通気性を備えた箱体に収納して簀の子に装着することで同等の効果が得られる。この場合、箱体にスペーサや係止具を設けてより効果を高めることができる。
【００１０】
また、簀の子本体側方部に上面と底面に架け渡す差込ピンの差込穴を設け、該差込ピンに支持させた支持棒に、収納体の係止孔を挿通させて支持させることにより、簀の子本体を立てた状態で使用することが可能となる。
【００１１】
本発明に係る簀の子においては、簀の子本体全面の通気性を高めたことにより、これを並設することでベッドや床構造として構成することができる。ベッドの場合は、寝たりきりの老人や病人のベッドとして、載置する布団やマットレスの除湿や脱臭を図ったり、芳香を放ったりする上で有用となる。また、床構造の場合は、上に薄畳みやマットなどを敷くことにより、除湿、脱臭、芳香を伴う通気性に優れた床面を形成することができる。並設する手段としては、複数の簀の子を単に並べるだけでもよいが、釘打ち、ボルト等による連結、連結具の嵌め込みなどで連結してもよい。この他、簀の子の利用方法としては、複数連設することにより空間の間仕切りとすることもできる。この場合、スタンドなどに載置して目線高さに設置するようにしてもよい。
【発明の効果】
【００１２】
本発明に係る簀の子は、本体各面に通気口を備えた直方体形状であり、底面を上げ底とし、少なくとも両側面下部に該底面に連通する底部通気口を設けたことにより、内部に収納した収納体の機能を最大限に発揮させることができる。これにより、簀の子としての本来の機能である上面側の通気だけでなく、底面側の通気も確実にし、押入等の棚面や床面ひいては押入等全体に渡る充分な除湿性能を発揮することができる。また、これらの機能を備えた簀の子を複数並設することで除湿、脱臭及び芳香機能を備えたベッドや床構造を構成することができるなど極めて有益な効果を有するものである。
【発明を実施するための最良の形態】
【００１３】
本発明は、底面を上げ底とし少なくとも両側面下部に該底面に連通する底部通気口を設けたことにより、上述課題を解決した。
【実施例１】
【００１４】
図１は、本発明に係る簀の子１の一例であり、木製の板材を適宜間隔を開けて配置して上面２と底面３を形成し、これらを適宜間隔を開けて側面板４で連結した直方体形状である。前面と背面は開口部５であり、ここから収納体６の出し入れを行う。本発明においては、底面３を上げ底とし、両側面の下部に底部通気口７を設けることにより、該底面３に対する通気を確実にしている。収納体６として、図２に示すように袋体６１の全面に多数のスペーサ６２を設けることで、より通気性能を高めることができる。本例のスペーサ６２はポリエチレンの連続発泡体で形成したφ２０mm、高さ２０mmの円柱状で、先端を球面状に形成している。これを１０平方センチメートル当たり約２個の割合で設けている。
【実施例２】
【００１５】
また、収納体６は基本的に通気性を有する袋体６１に充填材を充填したものであればよいが、図３のように袋体６１を貫通する係止孔６３を一つ設けておくことで、洋服ダンスのフックなどに吊り下げて使用することができ、汎用性を高めることができる。係止孔６３は、各コーナーや辺部に適宜設けてもよい。
【実施例３】
【００１６】
図４は、本発明に係る簀の子１の他の実施例であり、開口部５から出し入れする引き出し８を設けた構造であり、この引き出し８に収納体６を載置することにより、簀の子１本体への収納体６の装着をより簡単にすることができる。引き出し８は簀の子１本体の底面を形成するもので、その装着位置を上げ底位置とし、両側面下部に底部通気口７を設けて、引き出し８底面側への通気性を確保している。収納体６を上げ底位置に装着して底面側に通気性を確保する観点から、収納体６は図５のように通気性を備えた箱体９に収納して簀の子１本体に装着させるようにしてもよい。
【実施例４】
【００１７】
図６（ａ）（ｂ）は、本発明に係る簀の子１のさらに他の実施例であり、引き出し８に係止具８１を設けている。係止具８１は、収納体６の袋体６１を貫通して設けた係止孔６３を挿通させることによって収納体６の保持を図る。本例では、引き出し８にスペーサ６２を設け、載置する収納体６の通気性及び保型性を高めている。また、本例では簀の子１本体の開口部５側に上面２と底面３に架け渡す差込ピン１０を差し込むことによって、引き出し８を固定させるようにしている。
【実施例５】
【００１８】
図７（ａ）（ｂ）は、本発明に係る簀の子１のさらに他の実施例であり、差込ピン１０を挿通させる差込穴１１を簀の子１本体の側方部に設けている。この差込穴１１に差込ピン１０を差し込み、収納体６の係止孔６３に挿通した支持棒１２を支持することで、簀の子１本体を立てた状態で使用することが可能となる。本例では、差込穴１１を開口部５側と中央部の２ヶ所に設けると共に、簀の子１本体の背面板１３に支持させるようにしている。
【実施例６】
【００１９】
図８は、本発明に係る簀の子１のさらに他の実施例であり、引き出し８の載置部を紐状体８１で構成している。紐状体８１としては、紐、ロープ、ワイヤなどであり、収納体６との接触面積を小さくして吸着効率等を高めることができる。また、紐状体８１の弾性により収納体６を引き出し８の枠体より沈み込ませた状態に支持するため、収納体６の保持力が高くなる。
【実施例７】
【００２０】
図９は、本発明に係る簀の子１のさらに他の実施例であり、収納体６を箱体９に収納した場合において、該箱体９を簀の子１本体に固定する構造を示したものである。箱体９の固定構造として、差込片１４により簀の子１本体から箱体９に設けた貫通孔９１に挿通して固定する。本例では、差込片１４の突出部が邪魔にならないように簀の子１の底面３側から挿通させるようにしている。このため、差込片１４が抜け落ちないように、差込片１４の断面形状と簀の子１側の挿通孔をほぼ同じ大きさの矩形としている。これは、差込片１４の頭部側に差し込んだ状態で回転できる小径部を設け、ほぼ４５°回転させることで差込片１４の矩形が挿通孔の矩形に係合して抜け落ちが防止される。
【００２１】
本実施例では、底部通気口７を確保するものとして板状の脚部３１を設けている。脚部３１を板状とすることにより、引っかかりにくく且つ滑らせ易くなって簀の子１本体の移動を容易にすることができる。また、開口部５を封止する封止具５１を取り付けることにより、内部に収納した収納体６や引き出し８が飛び出さないようにしている。封止具５１は、図１０に示すようにフック５２を設けており、簀の子１本体側に設けたフック受５２に係合させて外れにくくしている。
【実施例８】
【００２２】
本発明に係る簀の子１は、図１１のように複数並設することで床構造２０を構成することができる。例えば、フローリングの部屋の一部に複数並設し、上に畳やマットなどを敷いて座れる床面を形成することができる。簀の子１を複数並設する場合、図のような連結具２１を利用することにより、簡単確実に連結して並設することができる。このような連結具２１は、両面粘着テープなどで床面に固定しておいてもよい。
【実施例９】
【００２３】
また、簀の子１を複数並設する場合においては、図１２のような簀の子ベッド３０を構成することもできる。本例では、ベッドとして構成するため簀の子１の脚部を長くして上面２の高さが高くなるようにしている。簀の子１を併設する場合には、前実施例のような連結具２１を用いてもよいが、本例では、上面２の溝に嵌め込んだり、底面３を構成する桟に係止する連結具３１により、できるだけ上面２側で連結するようにしている。
【００２４】
また、本例ではヘッドボード３２を、簀の子１の脚部にヘッドボード固定具３３を利用して取り付けている。ヘッドボード３２を設けることで、図１３に示すように収納体６を係止することができ、簀の子１のみならず頭部周辺での脱臭や芳香の機能を高めることができる。
【００２５】
ベッドを構成する簀の子１としては、図１４に示すように簀の子１の脚部の他に、差込片１４や封止具５１を床面に足る長さにして支持部材とすることにより、支持力を高めることができる。差込片１４を多数設けた場合は、図９のように箱体９に貫通孔９１を設けて貫通させたり、図１５のように収納体６に貫通部６４を形成して、差込片１４を貫通させて上面２の裏面に接当させるようにする。
【図面の簡単な説明】
【００２６】
【図１】本発明に係る簀の子の一実施例を示す斜視図である。（実施例１）
【図２】収納体の他の例を示す斜視図である。
【図３】収納体のさらに他の例を示す斜視図である。（実施例２）
【図４】本発明に係る簀の子の他の実施例を示す斜視図である。（実施例３）
【図５】本発明に係る簀の子のさらに他の実施例を示す斜視図である。
【図６】本発明に係る簀の子のさらに他の実施例を示すもので、（ａ）は斜視図、（ｂ）は正面図である。（実施例４）
【図７】本発明に係る簀の子のさらに他の実施例を示すもので、（ａ）は立てた状態の側面図、（ｂ）は立てた状態の正面図である。（実施例５）
【図８】本発明に係る簀の子のさらに他の実施例を示す斜視図である。（実施例６）
【図９】本発明に係る簀の子のさらに他の実施例を示す斜視図である。（実施例７）
【図１０】簀の子の開口部を封止する状態を示す部分斜視図である。
【図１１】本発明に係る床構造の一実施例を示す斜視図である。（実施例８）
【図１２】本発明に係る簀の子ベッドの一実施例を示す斜視図である。（実施例９）
【図１３】本発明に係る簀の子ベッドの他の実施例を示す斜視図である。
【図１４】本発明に係る簀の子ベッドを構成する簀の子の一例を示す斜視図である。
【図１５】本発明に係る簀の子ベッドを構成する簀の子に収納する収納体のさらに他の例を示す斜視図である。
【符号の説明】
【００２７】
１  簀の子
２  上面
３  底面
３１  脚部
４  側面板
５  開口部
５１  封止具
５２  フック
５３  フック受
６  収納体
６１  袋体
６２  スペーサ
６３  係止孔
６４  貫通部
７  底部通気口
８  引き出し
８１  係止具
８２  紐状体
９  箱体
９１  貫通孔
１０  差込ピン
１１  差込穴
１２  支持棒
１３  背面板
１４  差込片
２０  床構造
２１  連結具
３０  簀の子ベッド
３１  連結具
３２  ヘッドボード
３３  ヘッドボード固定具
【図１】
2008157017.tif 000003
【図２】
2008157017.tif 000004
【図３】
2008157017.tif 000005
【図４】
2008157017.tif 000006
【図５】
2008157017.tif 000007
【図６】
2008157017.tif 000008
【図７】
2008157017.tif 000009
【図８】
2008157017.tif 000010
【図９】
2008157017.tif 000011
【図１０】
2008157017.tif 000012
【図１１】
2008157017.tif 000013
【図１２】
2008157017.tif 000014
【図１３】
2008157017.tif 000015
【図１４】
2008157017.tif 000016
【図１５】
2008157017.tif 000017